(57)【要約】【課題】カメラ・ブラウザ付き携帯電話とパーソナルコンピュータを利用者端末として使い、特別なソフトウエアを使うことなくブラウザ付き携帯電話用ホームページを発行できるようにする。【解決手段】利用者端末１、２との間でメールの受け取り、文章と文章の色や形の情報、ハイパーリンクの情報を入力し送信するためのホームページを含むホームページの配信、情報の入力処理を行う通信処理手段４と、画像及び利用者端末にホームページを配信して入力された文章と文章の色、形の情報、ハイパーリンクの情報を記録する情報記録手段５と、それぞれに記録された画像と情報とを組み合わせてブラウザ付き携帯電話用ホームページを作成するホームページ作成手段６とを備え、ネットワーク上で利用者端末１から画像を受け取りブラウザ付き携帯電話用ホームページを作成し配信する。【選択図】　　　図１
2004118796.tif 000002
【特許請求の範囲】
【請求項１】
ネットワーク上で利用者端末から画像を受け取りブラウザ付き携帯電話用ホームページを作成し配信する携帯電話用ホームページ作成機能を備えたサーバーコンピュータであって、
前記利用者端末との間でメールの送受信、ブラウザ付き携帯電話用ホームページの作成用を含む各種のホームページの配信、配信したホームページからの入力処理を行う通信処理手段と、
前記画像を含むホームページ作成データ及び作成されたホームページの配信先情報を利用者毎に領域を確保して記憶する情報記憶手段と、
前記利用者端末に前記ブラウザ付き携帯電話用ホームページの作成用のホームページを配信して前記利用者端末からの入力操作に従いブラウザ付き携帯電話用ホームページを作成するホームページ作成手段と
を備え、前記通信処理手段は、前記作成されたホームページのＵＲＬを表示したメールを前記ホームページの配信先情報に従って送信し、前記ホームページ作成手段は、前記利用者端末に前記画像記憶手段に記録された画像をサムネイル表示した前記作成用のホームページを配信することにより、前記利用者端末で前記サムネイル表示から画像を選択してブラウザ付き携帯電話用ホームページを作成するように構成したことを特徴とする携帯電話用ホームページ作成機能を備えたサーバーコンピュータ。
【請求項２】
前記作成用のホームページは、タイトルを含む文章と文章の色や形の情報、ハイパーリンクの情報を入力する発行画面を有することを特徴とする請求項１記載の携帯電話用ホームページ作成機能を備えたサーバーコンピュータ。
【請求項３】
前記作成用のホームページは、画像をサムネイル表示してクリック選択するフィールドコンテンツ発行画面を有することを特徴とする請求項１〜２のいずれかに記載の携帯電話用ホームページ作成機能を備えたサーバーコンピュータ。
【請求項４】
前記作成用のホームページは、ホームページの配信先情報の選択指定を行う管理画面を有することを特徴とする請求項１〜３のいずれかに記載の携帯電話用ホームページ作成機能を備えたサーバーコンピュータ。
【請求項５】
前記管理画面は、ホームページの配信先情報の検索キー、並べ替えキー、指定キーの欄を有し、該検索キー、並べ替えキー、指定キーによりホームページの配信先情報の選択指定を行うことを特徴とする請求項４記載の携帯電話用ホームページ作成機能を備えたサーバーコンピュータ。
【請求項６】
前記画像記憶手段に記録される画像は、カメラで撮影した写真画像であることを特徴とする請求項１〜５のいずれかに記載の携帯電話用ホームページ作成機能を備えたサーバーコンピュータ。
【請求項７】
前記利用者端末は、カメラ・ブラウザ付き携帯電話を含み、前記画像記憶手段に記録される画像は、カメラで撮影した写真画像がメールに添付されたものであることを特徴とする請求項１〜６のいずれかに記載の携帯電話用ホームページ作成機能を備えたサーバーコンピュータ。
【発明の詳細な説明】
【０００１】
【発明の属する技術分野】
本発明は、ネットワーク上で利用者端末から画像を受け取りブラウザ付き携帯電話用ホームページを作成し配信する携帯電話用ホームページ作成機能を備えたサーバーコンピュータに関する。
【０００２】
【従来の技術及び発明が解決しようとする課題】
ホームページの作成は、ＨＴＭＬ言語による記述が一般的であり、相当に専門的な知識や技術を要することである。このホームページの作成を簡略にワープロのような操作と少ない知識で行うための変換ソフトウェアして各種のエディタが販売されており、一般の人でもかなり簡単にホームページデータが作成できるようになっている。
【０００３】
このエディタで作成したホームページデータは、ページに組み込む画像データなどとともにインターネット上のサーバーに送信をかける必要がある。これには、通常ＦＴＰ通信という方法がとられるが、このためにも専用のソフトウェアを使う必要があり、サーバー名や送信先フォルダの特定など専門的な知識が不可欠である。したがって、簡単になったとはいえ、ソフトウェアの購入など環境の整備とともに利用者も相当に学習の必要がある。
【０００４】
そこで、インターネットなどの通信ネットワーク上にホームページの作成を支援するサービスサーバを設け、ホームページを構成するための文字、画像などの複数の構成要素と、各ホームページの構成要素の配置を登録したレイアウト情報を提供し、通信端末器からホームページを簡便に作成できるようにするシステムも提案されている（例えば、特許文献１参照）。しかし、上記従来のシステムでは、ホームページを構成するための文字、画像などの複数の構成要素は、サービスサーバに登録されているものに制約され、ユーザ側において好みに応じて変えることができない。
【０００５】
また、最近の携帯電話では、カメラを搭載した機種の増大傾向が顕著であり、今後ますますこの傾向は高まると想定できる。しかし、任意のユーザがこのようなカメラで撮影した画像を自分のホームページに組み込む際には、電話からパーソナルコンピュータまでデータ送信用ケーブルでつなぐか、スマートメディアなどリムーバブルな記憶媒体を通すか、あるいはインターネットを通してパーソナルコンピュータに送信し、上記のエディタ等で組み込みの措置を講じなければならない。この操作はきわめて煩雑になる。
【０００６】
【特許文献１】
特開２００１−２４３１８１号公報
【０００７】
【課題を解決するための手段】
本発明は、上記課題を解決するものであって、カメラ・ブラウザ付き携帯電話とパーソナルコンピュータを利用者端末として使い、特別なソフトウエアを使うことなくブラウザ付き携帯電話用ホームページを発行できるようにするものである。
【０００８】
そのために本発明は、ネットワーク上で利用者端末から画像を受け取りブラウザ付き携帯電話用ホームページを作成し配信する携帯電話用ホームページ作成機能を備えたサーバーコンピュータであって、前記利用者端末との間でメールの送受信、ブラウザ付き携帯電話用ホームページの作成用を含む各種のホームページの配信、配信したホームページからの入力処理を行う通信処理手段と、前記画像を含むホームページ作成データ及び作成されたホームページの配信先情報を利用者毎に領域を確保して記憶する情報記憶手段と、前記利用者端末に前記ブラウザ付き携帯電話用ホームページの作成用のホームページを配信して前記利用者端末からの入力操作に従いブラウザ付き携帯電話用ホームページを作成するホームページ作成手段とを備え、前記通信処理手段は、前記作成されたホームページのＵＲＬを表示したメールを前記ホームページの配信先情報に従って送信し、前記ホームページ作成手段は、前記利用者端末に前記画像記憶手段に記録された画像をサムネイル表示した前記作成用のホームページを配信することにより、前記利用者端末で前記サムネイル表示から画像を選択してブラウザ付き携帯電話用ホームページを作成するように構成したことを特徴とするものである。
【０００９】
また、前記作成用のホームページは、タイトルを含む文章と文章の色や形の情報、ハイパーリンクの情報を入力する発行画面や、画像をサムネイル表示してクリック選択するフィールドコンテンツ発行画面、ホームページの配信先情報の選択指定を行う管理画面を有し、前記管理画面は、ホームページの配信先情報の検索キー、並べ替えキー、指定キーの欄を有し、該検索キー、並べ替えキー、指定キーによりホームページの配信先情報の選択指定を行い、前記画像記憶手段に記録される画像は、カメラで撮影した写真画像であり、前記利用者端末は、カメラ・ブラウザ付き携帯電話を含み、前記画像記憶手段に記録される画像は、カメラで撮影した写真画像がメールに添付されたものであることを特徴とするものである。
【００１０】
【発明の実施の形態】
以下、本発明の実施の形態を図面を参照しつつ説明する。図１は本発明に係る携帯電話用ホームページ作成機能を備えたサーバーコンピュータの実施の形態を示す図、図２はホームページ等データ記憶部の構成例を示す図、図３はホームページ作成管理部の構成例を示す図、図４はユーザ管理部の構成例を示す図である。図中、１はカメラ・ブラウザ付き携帯電話、２は利用者端末、３はサーバーコンピュータ、４は端末通信処理部、５はホームページ等データ記憶部、６はホームページ作成管理部、７はユーザ管理部、８はブラウザ付き携帯電話を示す。
【００１１】
図１において、カメラ・ブラウザ付き携帯電話１は、ホームページの作成に用いる画像として、カメラで撮影した画像をメールに添付してサーバーコンピュータ３に送信する利用者端末の１つであり、利用者端末２は、ＵＲＬ（Ｕｎｉｆｏｒｍ　Ｒｅｓｏｕｃｅ　Ｌｏｃａｔｏｒｓ）　を指定してサーバーコンピュータ３からブラウザ付き携帯電話用ホームページの作成用のホームページを呼び出し、ブラウザ付き携帯電話用ホームページの作成に用いるタイトルを含む文章と文章の色や形の情報、ハイパーリンクの情報などを入力し、また、サムネイル表示した画像から希望する画像を選択してサーバーコンピュータ３に送信することにより、ブラウザ付き携帯電話用ホームページを作成する、例えばパーソナルコンピュータである。
【００１２】
サーバーコンピュータ３は、画像が添付されたメールをカメラ・ブラウザ付き携帯電話１から受信すると、メールに添付された画像をＩＤやパスワードなどに従ってユーザ毎に確保されている所定の記憶領域に記憶し、利用者端末２に対して文章と文章の色や形の情報、ハイパーリンクの情報などを入力し、画像を選択するためのサムネイル表示したブラウザ付き携帯電話用ホームページの作成用のホームページで配信して、ブラウザ付き携帯電話用ホームページの編集、作成を行い、例えば店舗の利用者（ユーザ）から会員・顧客向けブラウザ付き携帯電話８に適宜ブラウザ付き携帯電話用ホームページのＵＲＬを表示したお知らせメールや、そのＵＲＬに基づくホームページを配信するものである。サーバーコンピュータ３は、このようなブラウザ付き携帯電話用ホームページを作成し、メールやホームページを配信するために、端末通信処理部４、ホームページ等データ記憶部５、ホームページ作成管理部６、ユーザ管理部７を備えている。
【００１３】
端末通信処理部４は、サーバーコンピュータ３とカメラ・ブラウザ付き携帯電話１、利用者端末２、ブラウザ付き携帯電話８との通信処理を行うものであり、インターネットファイル通信プログラム（Ｗｅｂサーバー機能）、インターネットメール通信プログラム（メールサーバー機能）を有し、カメラ・ブラウザ付き携帯電話１からメールを受け取り、利用者端末２にホームページを配信して情報を提示、入力し、ブラウザ付き携帯電話８にメール及びブラウザ付き携帯電話用ホームページを配信する。
【００１４】
ホームページ等データ記憶部５は、図２に示すようにユーザ毎に領域を分けて、ホームページ作成管理部で行われる暗号情報（名称、ＩＤ、パスワードなど）の認証を経てユーザ領域への書き込みを可能にするものであり、画像記録部、ホームページ記憶部、ホームページ一覧情報記憶部を有する。
【００１５】
画像記録部は、カメラで撮影しカメラ・ブラウザ付き携帯電話１からメールに添付して送信してきた画像をブラウザ付き携帯電話用ホームページ作成用の画像として記録するものである。
【００１６】
ホームページ記憶部は、利用者端末２に対して、サーバーコンピュータ３から文章と文章の色や形の情報、ハイパーリンクの情報などの入力、画像選択、送信のためのホームページを配信することにより、そのホームページに利用者端末２から文章と文章の色や形の情報を入力し、画像を選択してサーバーコンピュータ３に送信してきたこれらの情報を記録するものである。
【００１７】
ホームページ一覧情報記憶部は、発行した各ページの要素や属性を記憶するものであり、ホームページ作成状況の一覧・編集・削除を行い、リンクなどコントロールの確認を行うときに、ユーザ（作成者）と作成済みのホームページデータや画像データとのひもつきを示す情報を記憶する。これらは、サーバーが、ここから所定の情報をピックアップして編集用一覧の入力機能を有するホームページ画面、例えばＣＧＩ（Ｃｏｍｍｏｎ　Ｇａｔｅｗａｙ　Ｉｎｔｅｒｆａｃｅ）　画面を作成したり、各ファイルを引き出してユーザやユーザの指定する送信先（会員や顧客）に送信をかけたりするときのインデックスとする情報となる。
【００１８】
2004118796.tif 000003
のような項目のデータベースもしくはＣＳＶ情報となる。
【００１９】
ホームページ作成管理部６は、ホームページ等データ記憶部５に記録されたホームページ作成用の画像、文章と文章の色や形の情報を組み合わせて、それらの情報に従って所定のレイアウトでブラウザ付き携帯電話用ホームページを作成し管理するものであり、ユーザ管理部７で行うユーザ認証を受けて、作成したホームページや再送データをホームページ等データ記憶部の各ユーザに割り当てられた領域へ記憶する処理なども司る。そのために、ホームページ作成管理部６は、例えば図３に示すように端末への送信用ＣＧＩプログラム及び画面構成データ、ＣＧＩからの情報と携帯電話メール添付の写真画像の組み合わせによるホームページ作成用プログラム、ホームページ作成用データ、ホームページ及び画像情報を暗号認証によって各ユーザに割り当てられた記憶領域への記憶する指示プログラム、その他ホームページ情報作成プログラムなどを有している。
【００２０】
端末への送信用ＣＧＩプログラムは、ＣＧＩ画面として、テキスト入力欄など利用者端末に送信するとともに、ＣＧＩ画面からユーザが返してくる入力情報を受け取り、ホームページ作成プログラムに受け渡す機能を持つ。ホームページ作成用プログラムは、利用者端末のＣＧＩ画面から送られてきた各種情報によってホームページを作成するが、該情報によって携帯電話から送られてきた画像情報を選択し挿入情報を盛り込むことによって異なる端末からの情報を組み合わせる機能を持つ。ホームページ作成用データは、ユーザから受け取った情報をブラウザ付携帯電話用ホームページの形式に変換するためのタグや記号変換用情報などである。
【００２１】
ユーザ管理部７は、ホームページ作成管理部６により作成し管理されているブラウザ付き携帯電話用ホームページ、ユーザ情報、ユーザの顧客や会員などの配信先情報などの管理を行うものであり、例えば図４に示すように利用者登録管理プログラム及び登録データ、暗号認証プログラム及び暗号認証用データ、利用履歴管理プログラム及び履歴データ、ホームページ発行お知らせメール配信プログラム及び配信先情報などを有する。
【００２２】
利用者登録管理プログラムは、サーバー管理者が予め端末ユーザの情報を登録する機能を持つ。登録機能とは、ユーザ情報の記憶、暗号情報の発行、情報記憶部への記憶領域の発行割り当てなどを行う機能である。暗号認証プログラムは、利用者端末のブラウザのＣＧＩ画面から送られてきた情報や携帯電話から写真画像付で送られてきたメールの暗号情報を利用者登録データと照合認証し、各ユーザ毎にホームページ等データ記憶部に割り当てられた記憶領域にホームページ及び画像データを記憶する。暗号認証用データは、ユーザ固有の暗号情報を予め記憶し、暗号の照合時に暗号認証プログラムによって呼び出される。ホームページ発行お知らせメール配信プログラム及び配信先情報は、本実施形態をユーザである小売店などの会員・顧客サービスに用いる場合に、メール文面に該ホームページのアドレス（ＵＲＬ）を記入して送るためのものである。このメールにより、会員はメール文面からＵＲＬをクリックすると該ホームページを呼び出すことができる。
【００２３】
上記構成により、サーバーコンピュータ３では、ユーザ管理部７の管理情報よりユーザが複数のブラウザ付き携帯電話用ホームページを有する場合、利用者端末２のＷｅｂ画面からそのユーザが既に作成したブラウザ付き携帯電話用ホームページをタイトル一覧でプレビュー、作成　編集、削除などができるようにしている。
【００２４】
利用者端末２のＷｅｂ画面からブラウザ付き携帯電話用ホームページ情報を入力する際には、ユーザが既にカメラ・ブラウザ付き携帯電話１からサーバーコンピュータ３にメール添付で送信し、画像記憶部５に記録した画像を選択してブラウザ付き携帯電話用ホームページ上に配置し、ユーザが既に作成したホームページもしくは任意のホームページへのハイパーリンクをブラウザ付き携帯電話用ホームページ上に指定できるようにしている。
【００２５】
次に、具体的な処理の流れ、Ｗｅｂ画面での作業の例を説明する。図５はサーバーコンピュータの処理概要を説明するための図である。
【００２６】
利用者端末２からＵＲＬを指定しサーバーコンピュータ３にアクセスすると、サーバーコンピュータ３では、例えば図５に示すようにユーザＩＤ、パスワードによりユーザの認証を行い（ステップＳ１１）、そのユーザのブラウザ付き携帯電話用ホームページのタイトル一覧を配信する（ステップＳ１２）。
【００２７】
利用者端末２においてホームページの作成を行うか否かにより（ステップＳ１３）、ホームページの作成を行う場合には、文章と文章の色や形の情報、ハイパーリンクの情報などの入力、画像選択、送信のためのホームページを配信することにより（ステップＳ１４）、送信されてきた入力情報を記憶する（ステップＳ１５）。そして、その入力情報と既にカメラ・ブラウザ付き携帯電話１からサーバーコンピュータ３にメール添付で送信し、ホームページ等データ記憶部５に記録した画像をブラウザ付き携帯電話用ホームページ上に配置することにより、ブラウザ付き携帯電話用ホームページを作成し記憶する（ステップＳ１６）。
なお、ステップＳ１３の判定がホームページの作成ではなく、プレビュー、編集（更新）、削除など他の処理の場合には、それぞれの処理を実行する（ステップＳ１７）。
【００２８】
さらに、具体的な画面を例に上記実施形態の機能を説明する。図６はトップページ編集画面の例を示す図、図７はフィールドコンテンツ選択画面の例を示す図、図８はフィールドコンテンツ編集画面の例を示す図、図９は顧客管理画面及び顧客コメント編集画面の例を示す図、図１０はログイン画面の例を示す図、図１１は店舗トップページ編集画面・モバイル画面について説明する図、図１２はフィールドコンテンツ発行画面・モバイル画面について説明する図、図１３は顧客管理画面を説明する図である。
【００２９】
店舗をユーザとしたトップページ編集画面は、図６に示すように構成され、ページタイトル、ページタイトルの表示色、サブタイトル、サブタイトルの表示色、そのページの反映開始日、問い合わせ先のメールアドレス、問い合わせ電話番号、ショップの紹介コメントなどが入力する内容となる。ページは１度作成すると、再編集する際には以前に作成した内容が初期表示されるようになり、ページの編集は送信ボタンを押すことで完了となる。登録完了後は登録完了画面に遷移して、そこで実際に表示される画面のプレビューを見ることができる。
【００３０】
フィールドコンテンツ選択画面は、図７に示すように構成され、フィールドコンテンツのページを編集する際に、まずどのページを編集するかを選択する画面であり、未登録のフィールドコンテンツには未登録が表示され、登録済みのフィールドコンテンツにはそのページのタイトルが表示される。既に登録済みのフィールドコンテンツは、プレビューボタンを押すことで確認することができる。
【００３１】
フィールドコンテンツ発行画面は、図８に示すように構成され、ページのタイトル、コメント、表示する写真のファイル名、他ページへのリンク先の有無などが入力する内容となる。コメントを入力する欄を複数個所設けているのは、表示する画像がある場合に、画像を上部、中部、下部のどこに表示するかを容易に切り換えるためである。トップページ編集画面と同様に送信ボタンを押すことで完了となる。登録処理が正常に終了した場合には、登録完了画面に遷移して、そこから実際に表示される画面のプレビューを見ることができる。
【００３２】
顧客管理画面は、図９（Ａ）に示すようにユーザの顧客や会員を管理し、メールの送信先を選択指定し、さらにはメール送信を実行する画面であり、検索や一覧並べ替え条件、顧客の一覧、メールの宛て先、メールタイトル、メール文面などの項目を有する。表示される顧客の一覧は、顧客検索の項目を利用して全ての検索や、顧客ＩＤ、住所等の条件を右上のフィールドから選択して個別の検索を行い、また、顧客一覧並べ替えの項目を利用して顧客ＩＤ、住所、年齢等の条件を選択して実行ボタンを押すことで並び替えることが可能となる。また、コメントや住所等の内容の検索を行うこともできるようになっている。コメント欄中の表示ボタンを押すと、図９（Ｂ）に示す別ウインドウが表示され、そのウインドウでその顧客に関するコメントの表示、編集を行うことができる。
【００３３】
このように顧客の情報を表示するだけでなく、メール送信のチェックや、メールの宛て先を選択指定することで特定の顧客に対してメールを送信することが可能となる。その際、顧客一覧において、送信する先のメール送信個所をチェックしている顧客、表示順の上位指定％の顧客、全ての顧客等の指定をすることが可能となっている。また、メールに複数のＵＲＬをリンク表示してもよい。
【００３４】
ログイン画面は、図１０に示すように構成され、機能を使用する際には店舗を選択し、ログインＩＤ、パスワードを入力し、表示する画面を選択してから画面表示ボタンを押す。認証が正常に行われれば指定した画面が表示され、認証に失敗した場合には認証エラー画面に遷移する。
【００３５】
店舗トップページ発行画面ページで入力したものが、実際のモバイル端末から見た画面にどのようなデザインとなって反映されるかを示したのが図１１であり、図１１（Ａ）に示す店舗トップページ発行画面からページタイトルとその色、サブタイトルとその色、メールアドレス、問い合わせ先ＴＥＬ、店の紹介コメントを入力することにより、図１１（Ｂ）に示すようにブラウザ付き携帯電話用ホームページ（モバイル画面）にコンテンツのタイトルが表示される。
【００３６】
店舗トップページ発行画面のページタイトル欄で編集した内容は、▲１▼に示すようにモバイル画面の最上部に表示される。その表示される時の色はページタイトル色のプルダウンの中から選択して決定される。同様にサブタイトル欄で編集した内容は、▲２▼に示すようにモバイル画面の上部に表示され、その時の色はサブタイトル色のプルダウンの中から選択して決定される。メールアドレス欄は、店舗にメールで問い合わせを受ける宛て先アドレスを入力し、▲３▼に示すようにモバイル画面に反映させることで、「メールで送る」個所を選択しそのアドレスに対してメールを送ることができる。問い合わせ先ＴＥＬは、電話による問い合わせを受けるための電話番号を入力し、▲４▼に示すようにモバイル画面に反映させことで、電話番号を選択すると、その電話番号に自動的に発信することができる。ＳＨＯＰ紹介コメントで編集した内容は、▲５▼に示すようにモバイル画面に反映させ、お店紹介のページに遷移した時に表示される画面に表示される。モバイル画面メニューコンテンツＭＥＮＵ▲６▼は、コンテンツページを作成するとページタイトルが自動的に表示される。
【００３７】
フィールドコンテンツ発行画面で入力したものが、実際のモバイル端末から見た画面にどのようなデザインとなって反映されるかを示したのが図１２である。フィールドコンテンツ発行画面（図１２（Ａ））で入力されたタイトルは、▲１▼に示すようにモバイル画面（図１２（Ｂ））に反映され、ここで入力したタイトルがトップページに表示されるメニューにもなる。▲２▼のトップページリンク作成では、トップページから作成したページへのリンクを作成するかどうかを指定する。▲３▼の写真の画像データは、カメラ・ブラウザ付き携帯電話やパソコンからメール添付でアップロードされたものになるので、表示するファイル名を入力するか、アップロードされた写真がサムネイル表示された画像のクリックするかによって選択される。表示するファイル名を入力する場合には、メール添付でアップロードするときに付けた写真の名前が入力される。▲４▼のドキュメント入力欄は、モバイル画面に表示する本文が入力される。▲５▼のリンクの作成では、別のページに遷移するためのリンクを作成し、リンクコメントではリンク先の説明（クリックされる個所）が入力され、リンク先は遷移する先のフィールドコンテンツ番号を指定する。
【００３８】
モバイル画面に表示する画像は、Ｅ−ｍａｉｌをある特定のアドレスに送信することでアップロードすることを可能にする。そのため、端末はパソコン、携帯電話のどちらでも可能であり、送信するＥ−ｍａｉｌは、例えば次のフォーマットに従う。
【００３９】
2004118796.tif 000004
【００４０】
例：０００００００１，１２３４５６７８
顧客管理画面の使用方法は、図１３に示す▲１▼で指定する条件にあった顧客を検索し、特定のフィールドの昇順、降順に並び替える機能を示し、検索条件として、検索したい文字列を入力し、その文字列を表のどの部分に含まれるかを選択する。▲２▼のメール送信チェックでは、▲４▼の「チェックを付けた顧客」の項目とリンクしている。▲３▼のコメントでは、顧客のコメントを表示し、コメント全体の表示、及び編集は「表示」ボタンを押下することで、図１３（Ｂ）に示す展開画面で行う。▲４▼のメールの宛て先では、メールを送信する対象の顧客を選択し、「表の上位○○％」の項目は、数字を入力してその時画面に表示されている顧客の上位指定％にメールを送信する。▲５▼のメール作成では、▲４▼で選択した顧客に対して送信するメールのタイトル、内容を入力する。▲６▼のメール送信ボタンは、作成したメールを送信するボタンであり、ボタンを押すと、メール送信完了画面に遷移する。▲７▼の顧客コメント編集では、顧客のコメントの全体が表示され、また、編集をする際にもこの欄にコメントを入力する。▲８▼のコメント編集ボタンは、▲７▼の欄に入力したコメントを反映させるためのボタンである。
【００４１】
なお、本発明は、上記実施の形態に限定されるものではなく、種々の変形が可能である。例えば上記実施の形態では、カメラ・ブラウザ付き携帯電話からカメラで撮影した画像をメールに添付してサーバーコンピュータに送信し記録することにより、利用者端末からサーバーコンピュータのホームページで文章と文章の色や形の情報を入力し組み合わせてブラウザ付き携帯電話用ホームページを作成したが、デジタルカメラで撮影した画像を利用者端末に取り込み、利用者端末からメールに添付してサーバーコンピュータに送信し記録して同様に処理を行ってもよい。また、コンピュータで作成したコンピュータグラフィック画像を組み合わせてブラウザ付き携帯電話用ホームページを作成してもよい。
【００４２】
【発明の効果】
以上の説明から明らかなように、本発明によれば、ネットワーク上で利用者端末から画像を受け取りブラウザ付き携帯電話用ホームページを作成し配信する携帯電話用ホームページ作成機能を備えたサーバーコンピュータであって、利用者端末との間でメールの送受信、ブラウザ付き携帯電話用ホームページの作成用を含む各種のホームページの配信、配信したホームページからの入力処理を行う通信処理手段と、画像を含むホームページ作成データ及び作成されたホームページの配信先情報を利用者毎に領域を確保して記憶する情報記憶手段と、利用者端末にブラウザ付き携帯電話用ホームページの作成用のホームページを配信して利用者端末からの入力操作に従いブラウザ付き携帯電話用ホームページを作成するホームページ作成手段とを備え、通信処理手段は、作成されたホームページのＵＲＬを表示したメールをホームページの配信先情報に従って送信し、ホームページ作成手段は、利用者端末に画像記憶手段に記録された画像をサムネイル表示した作成用のホームページを配信することにより、利用者端末でサムネイル表示から画像を選択してブラウザ付き携帯電話用ホームページを作成するように構成したので、利用者端末では、ホームページ作成用の画面にアクセスして、ほとんど所定の文章を入力するだけで、また、カメラ・ブラウザ付き携帯電話の利用者端末では、撮影した写真画像をメールに添付して送信するだけでブラウザ付き携帯電話用ホームページを作成し、ユーザの顧客や会員にメールで知らせブラウザ付き携帯電話用ホームページを配信することができる。
【００４３】
したがって、非常に簡単な操作で、ユーザの通常のインターネットホームページを利用したり、カメラ・ブラウザ付き携帯電話を利用する程度の知識で操作可能であるので、簡単な操作でかつ現在のカメラ付き携帯電話の性能を活かした表現力のあるブラウザ付き携帯電話用ホームページを作成することができる。また、本発明に係るシステムを利用することにより、例えば外出先でも写真を撮影して即送信し、モバイルのノートパソコンで数行の文字を入力送信するだけでリアルタイムにブラウザ付き携帯電話用ホームページを発行することができる。しかもコンピュータは、インターネットにつながる環境でブラウザが搭載されておればよく、例えば職場のコンピュータでも利用可能になる。
【００４４】
また、写真画像を、既にアップロードしている写真ファイル名と同じファイル名でアップロードすると、サーバー内でファイルが上書き更新され、ホームページの写真だけの更新をカメラ・ブラウザ付き携帯電話だけで極めて簡単に行うことができる。パーソナルコンピュータの操作とカメラ・ブラウザ付き携帯電話の操作は、全く別の場所であっても差し支えなく、ユーザは、顧客が応募（カメラ・ブラウザ付き携帯電話でアップロード）してきた写真をＣＧＩ画面で組み合わせ指示でホームページに紹介するような操作も簡単に実現できる。
【００４５】
さらに、ホームページの配信をメールへのＵＲＬの追加記入方式（埋め込み方式）で行うので、メールそのもので受け手への任意のメーセージ文章と共にホームページの発行を知らせ、受け手はホームページを見たい場合にのみＵＲＬの入力により見ることができる。ホームページは、一般にメールデータより大きく、特に通信速度やキャッシュメモリ容量がパソコンに比べて少ない携帯電話に送る場合に、メールドキュメントとＵＲＬ表示によりお知らせすることで受け手の意思を尊重したホームページの提供が可能になる。
【図面の簡単な説明】
【図１】本発明に係る携帯電話用ホームページ作成機能付きサーバーコンピュータの実施の形態を示す図である。
【図２】ホームページ等データ記憶部の構成例を示す図である。
【図３】ホームページ作成管理部の構成例を示す図である。
【図４】ユーザ管理部の構成例を示す図である。
【図５】サーバーコンピュータの処理概要を説明するための図である。
【図６】トップページ編集画面の例を示す図である。
【図７】フィールドコンテンツ選択画面の例を示す図である。
【図８】フィールドコンテンツ編集画面の例を示す図である。
【図９】顧客管理画面及び顧客コメント編集画面の例を示す図である。
【図１０】ログイン画面の例を示す図である。
【図１１】店舗トップページ編集画面・モバイル画面について説明する図である。
【図１２】フィールドコンテンツ発行画面・モバイル画面について説明する図である。
【図１３】顧客管理画面を説明する図である。
【符号の説明】
１…カメラ・ブラウザ付き携帯電話、２…利用者端末、３…サーバーコンピュータ、４…端末通信処理部、５…ホームページ等データ記録部、６…ホームページ作成管理部、７…ユーザ管理部、８…ブラウザ付き携帯電話
【図１】
2004118796.tif 000005
【図２】
2004118796.tif 000006
【図３】
2004118796.tif 000007
【図４】
2004118796.tif 000008
【図５】
2004118796.tif 000009
【図６】
2004118796.tif 000010
【図７】
2004118796.tif 000011
【図８】
2004118796.tif 000012
【図９】
2004118796.tif 000013
【図１０】
2004118796.tif 000014
【図１１】
2004118796.tif 000015
【図１２】
2004118796.tif 000016
【図１３】
2004118796.tif 000017